(57)【要約】      （修正有）【課題】建物の外壁面の不陸に容易に対処し、取り付けの手間がかからずに竪樋との接続を容易に行うことのできる集水ますを提供する。【解決手段】本体部６の背面５に形成された開口部７の外側方に、本体部６の背面５より背面５の面積が小さい外壁面当接部１０を本体部６の背面５の外側に突設させる。また、本体部６の上面を開放し、本体部６の上部に蓋１４を装着する。【選択図】図１
2008180043.tif 000002
【特許請求の範囲】
【請求項１】
本体部の背面に形成された開口部の外側方に、本体部の背面より背面の面積が小さい外壁面当接部が本体部の背面の外側に突設されていることを特徴とする集水ます。
【請求項２】
本体部の上面が開放され、本体部の上部に蓋が装着されることを特徴とする請求項１に記載の集水ます。
【発明の詳細な説明】
【技術分野】
【０００１】
本発明は、集水ますに関する。
【背景技術】
【０００２】
建物の外壁面から外方に突設された排水管からの雨水を一旦集水し、竪樋に排水する集水ますが知られている。集水ますは、一般に、建物の外壁面に背面を当接させて取り付けられる。
【０００３】
だが、建物の外壁面には施工誤差などにともない不陸がしばしばあるため、集水ますの竪樋接続口の位置が竪樋に完全に一致しなければ精度の高い接続が望めない。そこで、特許文献１には、竪樋の外壁面からの出寸法に合わせて集水ますの外壁面への取付位置を微調整可能にする集水ます吊り具が開示されている。
【０００４】
集水ます吊り具は、基端部側に壁面固定板を設け、先端部側に挿通孔を有する支持板を設けた固定部材と、基端部側に挿通孔と内周面を一致させることができる挿通穴を設け、先端部側に集水ますを保持する保持部とを有し、挿通孔または挿通穴のいずれか一方が基端部から先端部に向かって開口された長穴であり、他方が固着具のみを挿通し得る開口であり、挿通孔と挿通穴との重ね合わせ位置の変更により、集水ますの外壁面からの出代を調整し、竪樋の出寸法に合わせて集水ますと竪樋の精度の高い接続を可能とする。
【特許文献１】特開平１０−４６７６５号公報
【発明の開示】
【発明が解決しようとする課題】
【０００５】
しかしながら、集水ますの取付位置は、一般に、建物の外壁面の高所であるため、集水ます吊り具による集水ますの外壁面からの出代を調整することは必ずしも容易でなく、集水ますの取り付けが手間のかかるものとなっていた。
【０００６】
本発明は、以上の通りの事情に鑑みてなされたものであり、建物の外壁面の不陸に容易に対処し、取り付けの手間がかからずに竪樋との接続を容易に行うことのできる集水ますを提供することを課題としている。
【課題を解決するための手段】
【０００７】
本発明の集水ますは、上記の課題を解決するために、以下のことを特徴としている。
【０００８】
第１に、本体部の背面に形成された開口部の外側方に、本体部の背面より背面の面積が小さい外壁面当接部が本体部の背面の外側に突設されている。
【０００９】
第２に、上記第１の特徴において、本体部の上面が開放され、本体部の上部に蓋が装着される。
【発明の効果】
【００１０】
上記第１の発明によれば、本体部の背面に形成された開口部の外側方に、本体部の背面より背面の面積が小さい外壁面当接部が本体部の背面の外側に突設されているため、本体部の背面は、建物の外壁面に直接当接することはなく、本体部の背面より背面の面積が小さい外壁面当接部の当接によって建物の外壁面の不陸を吸収することができ、竪樋との精度の高い接続が可能となる。また、外壁面当接部を建物の外壁面に当接するだけで建物の外壁面の不陸が吸収され、集水ますの取り付けには手間はかからず、竪樋との接続を容易に行うことができる。さらに、集水ますの背面は建物の外壁面に直接当接しないため、集水ますおよび外壁面の雨垂れによる汚れを解消することもできる。さらにまた、本体部の背面には、建物の外壁面から外方に突設された排水管を導入するために開口部が形成されるが、開口部の外側方に配設された外壁面当接部は、本体部の背面の強度を向上させるのに有効となる。
【００１１】
上記第２の発明によれば、上記第１の発明の効果に加え、開放された本体部の上面に蓋が本体部の上部に装着されるため、落ち葉などが集水ますの内部に舞い落ちるのを防止することができ、集水および排水能力を高度に維持することができる。また、蓋によって集水ますの本体部の強度が高まり、形態が安定する。
【発明を実施するための最良の形態】
【００１２】
図１は、本発明の集水ますの一実施形態を示した要部分解斜視図である。
【００１３】
図１に示した集水ます１は、角型の角ます１ａである。正面２、左側面３、右側面４および背面５を備え、隣接する面間で略直角に接続され、正面２と背面５が平行に、左側面３と右側面４がそれぞれ平行に配置されて、角筒状の本体部６が形成されている。背面５は、上端から略中央部にかけて下方に切り欠かれ、建物の外壁面から突設された排水管を角ます１ａの本体部６の内部に導入するための開口部７が形成されている。開口部７の平面形状は略Ｕ字状とされている。角ます１ａの本体部６の底面８には、建物の外壁面に固定される竪樋との接続部９が下方に突設されている。接続部９は、本体部６の内部と連通している。接続部９の形状は竪樋の形状に応じて適宜なものとすることができ、図１に示した角ます１ａでは略リング状とされている。
【００１４】
また、図１に示した集水ます１としての角ます１ａには、本体部６の背面５に形成された開口部７の外側方に、開口部７の左右両側端縁７ａ、７ｂに沿って縦方向に延び、本体部６の背面５の外側に突出する外壁面当接部１０が本体部６の背面５と一体的に形成されている。外壁面当接部１０は、本体部６の背面５の外側において本体部６の背面５の上端から下端部にまで延びる左右一対の縦片部１０ａ、１０ｂを有し、縦片部１０ａ、１０ｂの下端部は横片部１０ｃによって連結され、平面視略コ字状に形成されている。外壁面当接部１０の背面、すなわち、縦片部１０ａ、１０ｂおよび横片部１０ｃの背面の面積は、本体部６の背面５の面積より十分小さくされている。
【００１５】
また、外壁面当接部１０の縦片部１０ａ、１０ｂの上端部には、角ます１ａを建物の外壁面に固定するための平面視略矩形状の取付板１１が開口部７の外側方に、外壁面当接部１０の縦片部１０ａ、１０ｂと一体に配設され、取付板１１には、ビスなどの固着具を挿入するための挿入孔１２が表裏を貫通して形成されている。
【００１６】
このような図１に示した集水ます１としての角ます１ａを建物の外壁面に取り付ける場合には、図２に示したように、角ます１ａの本体部６の背面５の外側に突設された外壁面当接部１０を建物の外壁面１３に当接させ、所定の高さに配置する。このとき、外壁面当接部１０の上端部の取付板１１が建物の外壁面１３に当接するので、ビスなどの固着具を図１に示した取付板１１に形成された挿入孔１２を通じて螺入、打入などによって角ます１ａを建物の外壁面１３に固定する。角ます１ａの本体部６の背面５は建物の外壁面１３に当接せず、本体部６の背面５より背面の面積が小さく、本体部６の背面５の外側に突設された外壁面当接部１０が建物の外壁面１３に当接するため、建物の外壁面１３に不陸が生じていても、外壁面当接部１０によって建物の外壁面１３の不陸を吸収することができ、本体部６の底面８の接続部９において竪樋と精度の高い接続が可能となる。また、角ます１ａでは、外壁面当接部１０を建物の外壁面１３に当接するだけで建物の外壁面１３の不陸が吸収され、角ます１ａの取り付けに手間はかからず、竪樋との接続が容易となる。さらに、角ます１ａの本体部６の背面５は建物の外壁面１３に直接当接しないため、角ます１ａおよび外壁面１３の雨垂れによる汚れを解消することもできる。さらにまた、角ます１ａの本体部６の背面５には、建物の外壁面１３から外方に突設された排水管を導入するために、図１に示したような開口部７が形成されるが、開口部７の外側方に配設された外壁面当接部１０は、本体部６の背面５の強度を向上させるのに有効となる。建物の外壁面１３の不陸に容易に対処し、取り付けの手間がかからずに竪樋との接続を容易に行うことのできる集水ます１としての角ます１ａが実現される。
【００１７】
なお、角ます１ａの本体部６の背面５側に突設する外壁面当接部１０の厚さｔは、建物の外壁面１３の施工精度によっても異なるが、一般に５ｍｍ程度であれば十分であり、材質としては、発泡体などの弾力性を有するものが好ましく例示される。
【００１８】
また、角ます１ａは、図１に示したように、本体部６の上面は開放されているが、本体部６の上部には蓋１４が装着される。蓋１４は、落ち葉などが角ます１ａの本体部６の内部に舞い落ちるのを防止し、集水および排水能力を高度に維持するためのものであり、たとえば受け皿状に形成することができ、蓋面１５には、略中央部などに表裏に貫通する水抜き孔を形成することができ、蓋面１５は、水抜き孔に向かって流水勾配を設け、蓋１４に溜まる雨水を集水および排水することができるようにすることができる。このような蓋１４は、角ます１ａの開放された本体部６の上部に装着されるため、角ます１ａの本体部６の強度が高まり、形態が安定する。
【００１９】
この場合、蓋１４の左側面１６、右側面１７および背面１８には、下端部に下方に突出する弾性を有するバネ片１９を設けることができる。蓋１４の左側面１６および右側面１７には略中央部にバネ片１９を突設し、背面１８には、角ます１ａの本体部６に形成された開口部７を避けるように左右両側に一つずつ突設することができる。これらのバネ片１９に対応して、角ます１ａの本体部６の左側面３、右側面４および背面５の上端部には表裏を貫通する係合孔２０を設ける。こうすることにより、蓋１４を角ます１ａの本体部６の上部に装着するときに、各バネ片１９が対応する係合孔２０に個別に嵌着し、バネ片１９が有する弾性によってリジッドに蓋１４が本体部６に取り付けられ、角ます１ａの形態がより安定に保たれ、角ます１ａの本体部６の強度がより高まる。
【図面の簡単な説明】
【００２０】
【図１】本発明の集水ますの一実施形態を示した要部分解斜視図である。
【図２】図１に示した集水ますを建物の外壁面に取り付ける際の状態を示した要部側面図である。
【符号の説明】
【００２１】
１  集水ます
５  背面
６  本体部
７  開口部
１０  外壁面当接部
１４  蓋
【図１】
2008180043.tif 000003
【図２】
2008180043.tif 000004